(57)【要約】【課題】  二次側配管内が設定圧力を越えると、二次側配管内のガスを大気中に放出することなく、二次側配管内の圧力を確実に低下させることができ、ガスの回収や回収したガスの処理などの手間も掛からないようにする。【解決手段】  ガス圧力低下手段を、二次側配管Ｐ２内のガスを一次側配管Ｐ１内に強制的に還流させる還流手段２を設けて構成してある。【選択図】        図１
2005293126.tif 000002
【特許請求の範囲】
【請求項１】
二次側配管内のガス圧力が一次側配管内のガス圧力よりも低い設定供給圧力になるように流量を調整しながら、前記一次側配管から前記二次側配管にガスを通流させるガバナと、
前記二次側配管内のガス圧力が、前記設定供給圧力よりも高い設定圧力を越えると、その二次側配管内のガス圧力を低下させるガス圧力低下手段とを設けてあるガス圧力調整設備であって、
前記ガス圧力低下手段を、前記二次側配管内のガスを前記一次側配管内に強制的に還流させる還流手段を設けて構成してあるガス圧力調整設備。
【請求項２】
前記還流手段を構成するに、
前記一次側配管と前記二次側配管とを連通可能なバイパス路に、
前記二次側配管内のガス圧力が前記設定圧力を越えると、前記二次側配管内のガスを前記一次側配管側に向けて通過可能に開弁するリリーフ弁と、
前記リリーフ弁を通過したガスを貯留可能なタンクと、
前記タンクに貯留してあるガスを前記一次側配管内のガス圧力を越えるガス圧力に加圧して前記一次側配管側に向けて吐出可能な加圧装置と、
前記加圧装置から吐出したガスのガス圧力が前記一次側配管内のガス圧力を越えると、そのガスを前記一次側配管側に向けて通過可能に開弁する逆止弁とを、前記二次側配管側から順に設けるとともに、
前記二次側配管内のガス圧力と前記タンク内のガス圧力との差圧が設定差圧以下になると、前記タンクに貯留してあるガスを前記一次側配管内のガス圧力を越えるガス圧力に加圧して前記一次側配管側に向けて吐出するように、前記加圧装置の駆動を制御する制御部を設けて構成してある請求項１記載のガス圧力調整設備。
【請求項３】
前記還流手段を構成するに、
前記一次側配管と前記二次側配管とを連通可能なバイパス路に、
前記二次側配管内のガスを前記一次側配管内のガス圧力を越えるガス圧力に加圧して前記一次側配管側に向けて吐出可能な加圧装置と、
前記加圧装置から吐出したガスのガス圧力が前記一次側配管内のガス圧力を越えると、そのガスを前記一次側配管側に通過可能に開弁する逆止弁とを設けるとともに、
前記二次側配管内のガス圧力が前記設定圧力を越えると、前記二次側配管内のガスを前記一次側配管内のガス圧力を越えるガス圧力に加圧して前記一次側配管側に向けて吐出するように、前記加圧装置の駆動を制御する制御部を設けて構成してある請求項１記載のガス圧力調整設備。
【請求項４】
前記還流手段を構成するに、
前記一次側配管と前記二次側配管とを連通可能なバイパス路に、前記二次側配管内のガスを前記一次側配管内のガス圧力を越えるガス圧力に加圧して前記一次側配管側に向けて吐出可能な加圧装置を、吐出流量を変更可能に設けるとともに、前記加圧装置から吐出したガスのガス圧力が前記一次側配管内のガス圧力を越えると、そのガスを前記一次側配管側に通過可能に開弁する逆止弁を設け、
前記二次側配管内のガス圧力が前記設定圧力以下のときは、前記二次側配管内のガスを前記一次側配管内のガス圧力を越えるガス圧力に加圧して前記一次側配管側に向けて小さい吐出流量で吐出し、前記二次側配管内のガス圧力が前記設定圧力を越えると、前記二次側配管内のガスを前記一次側配管内のガス圧力を越えるガス圧力に加圧して前記一次側配管側に向けて大きい吐出流量で吐出するように、前記加圧装置の駆動を制御する制御部を設けて構成してある請求項１記載のガス圧力調整設備。
【発明の詳細な説明】
【技術分野】
【０００１】
本発明は、二次側配管内のガス圧力が一次側配管内のガス圧力よりも低い設定供給圧力になるように流量を調整しながら、前記一次側配管から前記二次側配管にガスを通流させるガバナと、前記二次側配管内のガス圧力が、前記設定供給圧力よりも高い設定圧力を越えると、その二次側配管内のガス圧力を低下させるガス圧力低下手段とを設けてあるガス圧力調整設備に関する。
【背景技術】
【０００２】
上記ガス圧力調整設備は、ガバナの故障や気温の変化などに起因して、二次側配管内のガス圧力が設定供給圧力を越えて高くなると、導管からのガス漏洩やガスメータの破損，燃焼不良などの事態を招くおそれがあるので、設定供給圧力よりも高い設定圧力を越えると、その二次側配管内のガス圧力を低下させるガス圧力低下手段を設けてある。
従来の上記ガス圧力調整設備では、ガス圧力低下手段として、例えば、水封式安全器を設けてあり(例えば、特許文献１参照)、この水封式安全器は、放散管を通して外部に連通する容器内に水を貯留しておき、二次側配管内のガスを導入する導入管を、その容器内に貯留してある水中に、端部に形成した開口部が設定圧力に相当する水深に位置するように入り込ませて、二次側配管内のガス圧力が設定圧力を越えると、その二次側配管内のガスを、導入管を通して、開口部から水中に噴出させるように構成するとともに、その噴出させたガスを、放散管を通して外部に放出できるように構成してあり、水中に噴出させたガスが放散管を通して大気中に放出されないように、放散管にタンクを接続して、放散管を通して、タンクに貯留しておくことが提案されている。
【０００３】
【特許文献１】特開２００２−１５７０２０号公報
【発明の開示】
【発明が解決しようとする課題】
【０００４】
しかしながら、二次側配管内のガスが大気中に放出されないように、上述のように、水封式安全器の放散管にタンクに接続した場合は、タンク内に貯留したガスの圧力が放散管を通して容器内の水に作用し、その結果、二次側配管内のガスが、導入管を通して、開口部から水中に噴出するときの二次側配管内のガス圧力が高くなって、二次側配管内のガス圧力が設定圧力を越えても、その二次側配管内のガス圧力を低下させることができない欠点がある。
また、仮に、二次側配管内のガス圧力が設定圧力を越えると、その二次側配管内のガス圧力を低下させることができたとしても、タンク内に貯留したガスの回収や回収したガスの処理などの手間が掛かる問題がある。
本発明は上記実情に鑑みてなされたものであって、ガス圧力低下手段を設けるにあたって、二次側配管内のガス圧力が設定圧力を越えると、二次側配管内のガスを大気中に放出することなく、その二次側配管内のガス圧力を確実に低下させることができ、ガスの回収や回収したガスの処理などの手間も掛からないようにすることを目的とする。
【課題を解決するための手段】
【０００５】
本発明の第１特徴構成は、二次側配管内のガス圧力が一次側配管内のガス圧力よりも低い設定供給圧力になるように流量を調整しながら、前記一次側配管から前記二次側配管にガスを通流させるガバナと、前記二次側配管内のガス圧力が、前記設定供給圧力よりも高い設定圧力を越えると、その二次側配管内のガス圧力を低下させるガス圧力低下手段とを設けてあるガス圧力調整設備であって、前記ガス圧力低下手段を、前記二次側配管内のガスを前記一次側配管内に強制的に還流させる還流手段を設けて構成してある点にある。
【０００６】
〔作用及び効果〕
ガス圧力低下手段を、二次側配管内のガスを一次側配管内に強制的に還流させる還流手段を設けて構成してあるので、二次側配管内のガス圧力が設定圧力を越えると、二次側配管内のガスを大気中に放出することなく、一次側配管内に強制的に還流させて、その二次側配管内のガス圧力を確実に低下させることができ、ガスの回収や回収したガスの処理などの手間も掛からない。
【０００７】
本発明の第２特徴構成は、前記還流手段を構成するに、前記一次側配管と前記二次側配管とを連通可能なバイパス路に、前記二次側配管内のガス圧力が前記設定圧力を越えると、前記二次側配管内のガスを前記一次側配管側に向けて通過可能に開弁するリリーフ弁と、前記リリーフ弁を通過したガスを貯留可能なタンクと、前記タンクに貯留してあるガスを前記一次側配管内のガス圧力を越えるガス圧力に加圧して前記一次側配管側に向けて吐出可能な加圧装置と、前記加圧装置から吐出したガスのガス圧力が前記一次側配管内のガス圧力を越えると、そのガスを前記一次側配管側に向けて通過可能に開弁する逆止弁とを、前記二次側配管側から順に設けるとともに、前記二次側配管内のガス圧力と前記タンク内のガス圧力との差圧が設定差圧以下になると、前記タンクに貯留してあるガスを前記一次側配管内のガス圧力を越えるガス圧力に加圧して前記一次側配管側に向けて吐出するように、前記加圧装置の駆動を制御する制御部を設けて構成してある点にある。
【０００８】
〔作用及び効果〕
図１に例示するように、一次側配管Ｐ１と二次側配管Ｐ２とを連通可能なバイパス路４に、二次側配管Ｐ２内のガス圧力が設定圧力を越えると、その二次側配管Ｐ２内のガスを一次側配管Ｐ１側に向けて通過可能に開弁するリリーフ弁５と、そのリリーフ弁５を通過したガスを貯留可能なタンク６とを、二次側配管Ｐ２側から順に設けてあるので、二次側配管Ｐ２内のガス圧力が設定圧力以下のときは、リリーフ弁５が閉弁していて、二次側配管Ｐ２内のガス圧力が低下することがなく、二次側配管Ｐ２内のガス圧力が設定圧力を越えると、リリーフ弁５が開弁して、二次側配管Ｐ２内のガスがタンク６に流入し、二次側配管Ｐ２内のガス圧力を低下させることができる。
また、バイパス路４におけるタンク６の一次側配管Ｐ１側に、タンク６に貯留してあるガスを加圧して一次側配管Ｐ１側に向けて吐出可能な加圧装置７を設け、二次側配管Ｐ２内のガス圧力とタンク６内のガス圧力との差圧が設定差圧以下になると、タンク６に貯留してあるガスを加圧して一次側配管Ｐ１側に向けて吐出するように、加圧装置７の駆動を制御する制御部１０を設けてあるので、二次側配管Ｐ２内のガス圧力とタンク６内のガス圧力との差圧を、タンク６内のガス圧力の低下によって、設定差圧を越える差圧に維持することができ、タンク６内のガス圧力が上昇した結果、二次側配管Ｐ２内のガス圧力が設定圧力を越えても、二次側配管Ｐ２内のガスがタンク６に流入しなくなって、二次側配管Ｐ２内のガス圧力を低下させることができなくなるような事態を確実に防止できる。
その上、加圧装置７を、タンク６に貯留してあるガスを一次側配管Ｐ１内のガス圧力を越えるガス圧力に加圧してタンク６から一次側配管Ｐ１側に向けて吐出可能に設け、その加圧装置７の一次側配管Ｐ１側に、加圧装置７から吐出したガスのガス圧力が一次側配管Ｐ１内のガス圧力を越えると、そのガスを一次側配管Ｐ１側に向けて通過可能に開弁する逆止弁９を設けてあるので、ガス圧力が高い一次側配管Ｐ１内のガスの二次側配管内への流入を防止できるとともに、加圧装置７から吐出したガスを、大気中に放出することなく、一次側配管Ｐ１側に還流させることができ、加圧装置７から吐出したガスを回収したり、その回収したガスを処理するような手間も掛からない。
【０００９】
本発明の第３特徴構成は、前記還流手段を構成するに、前記一次側配管と前記二次側配管とを連通可能なバイパス路に、前記二次側配管内のガスを前記一次側配管内のガス圧力を越えるガス圧力に加圧して前記一次側配管側に向けて吐出可能な加圧装置と、前記加圧装置から吐出したガスのガス圧力が前記一次側配管内のガス圧力を越えると、そのガスを前記一次側配管側に通過可能に開弁する逆止弁とを設けるとともに、前記二次側配管内のガス圧力が前記設定圧力を越えると、前記二次側配管内のガスを前記一次側配管内のガス圧力を越えるガス圧力に加圧して前記一次側配管側に向けて吐出するように、前記加圧装置の駆動を制御する制御部を設けて構成してある点にある。
【００１０】
〔作用及び効果〕
図２に例示するように、一次側配管Ｐ１と二次側配管Ｐ２とを連通可能なバイパス路４に、二次側配管Ｐ２内のガスを加圧して一次側配管Ｐ１側に向けて吐出可能な加圧装置７と、二次側配管Ｐ２内のガス圧力が設定圧力を越えると、二次側配管Ｐ２内のガスを加圧して一次側配管Ｐ１側に向けて吐出するように、加圧装置７の駆動を制御する制御部１０を設けてあるので、二次側配管Ｐ２内のガス圧力が設定圧力以下のときは、加圧装置７の駆動によって二次側配管Ｐ２内のガス圧力が低下することがなく、二次側配管Ｐ２内のガス圧力が設定圧力を越えると、加圧装置７の駆動によって、二次側配管Ｐ２内のガスが一次側配管Ｐ１側に向けて吐出され、二次側配管Ｐ２内のガス圧力を低下させることができる。
また、加圧装置７を、二次側配管Ｐ２内のガスを一次側配管Ｐ１内のガス圧力を越えるガス圧力に加圧して一次側配管Ｐ１側に向けて吐出可能に設け、加圧装置７から吐出したガスのガス圧力が一次側配管Ｐ１内のガス圧力を越えると、そのガスを一次側配管Ｐ１側に通過可能に開弁する逆止弁９を設けてあるので、ガス圧力が高い一次側配管Ｐ１内のガスの二次側配管Ｐ２内への流入を防止できるとともに、加圧装置７から吐出したガスを、大気中に放出することなく、一次側配管Ｐ１側に還流させることができ、加圧装置７から吐出したガスを回収したり、その回収したガスを処理するような手間も掛からない。
【００１１】
本発明の第４特徴構成は、前記還流手段を構成するに、前記一次側配管と前記二次側配管とを連通可能なバイパス路に、前記二次側配管内のガスを前記一次側配管内のガス圧力を越えるガス圧力に加圧して前記一次側配管側に向けて吐出可能な加圧装置を、吐出流量を変更可能に設けるとともに、前記加圧装置から吐出したガスのガス圧力が前記一次側配管内のガス圧力を越えると、そのガスを前記一次側配管側に通過可能に開弁する逆止弁を設け、前記二次側配管内のガス圧力が前記設定圧力以下のときは、前記二次側配管内のガスを前記一次側配管内のガス圧力を越えるガス圧力に加圧して前記一次側配管側に向けて小さい吐出流量で吐出し、前記二次側配管内のガス圧力が前記設定圧力を越えると、前記二次側配管内のガスを前記一次側配管内のガス圧力を越えるガス圧力に加圧して前記一次側配管側に向けて大きい吐出流量で吐出するように、前記加圧装置の駆動を制御する制御部を設けて構成してある点にある。
【００１２】
〔作用及び効果〕
図２を用いて説明すると、一次側配管Ｐ１と二次側配管Ｐ２とを連通可能なバイパス路４に、二次側配管Ｐ２内のガスを加圧して一次側配管Ｐ１側に向けて吐出可能な加圧装置７を、吐出流量を変更可能に設け、二次側配管Ｐ２内のガス圧力が設定圧力以下のときは、二次側配管Ｐ２内のガスを加圧して一次側配管Ｐ１側に向けて小さい吐出流量で吐出し、二次側配管Ｐ２内のガス圧力が設定圧力を越えると、二次側配管Ｐ２内のガスを加圧して一次側配管Ｐ１側に向けて大きい吐出流量で吐出するように、加圧装置７の駆動を制御する制御部１０を設けてあるので、二次側配管Ｐ２内のガス圧力が設定圧力を越えると、二次側配管Ｐ２内のガスを加圧装置７で加圧して、一次側配管Ｐ１側に向けて大きい吐出流量で吐出させることにより、二次側配管Ｐ２内のガス圧力を低下させることができるのであるが、二次側配管Ｐ２内のガス圧力が設定圧力以下のときは、二次側配管Ｐ２内のガスを加圧装置７で加圧して、一次側配管Ｐ１側に向けて小さい吐出流量で吐出させることにより、少なくともその一次側配管Ｐ１側に向けての吐出によって、二次側配管Ｐ２内のガス圧力が設定供給圧力を下回ることがないように、ガバナ１は一次側配管Ｐ１から二次側配管Ｐ２にガスを通流させるので、ガバナ１による一次側配管Ｐ１から二次側配管Ｐ２へのガスの通流が停止されることがなく、従って、ガバナの作動状態が弁体が開いている通流状態と弁体が閉じている通流停止状態とに亘って変化することによる通流量の急激な変動がなく、弁体のハンチングを防止して、流量を安定的に調整できる。
また、加圧装置７を、二次側配管Ｐ２内のガスを一次側配管Ｐ１内のガス圧力を越えるガス圧力に加圧して一次側配管Ｐ１側に向けて吐出可能に設け、加圧装置７から吐出したガスのガス圧力が一次側配管Ｐ１内のガス圧力を越えると、そのガスを一次側配管Ｐ１側に通過可能に開弁する逆止弁９を設けてあるので、ガス圧力が高い一次側配管Ｐ１内のガスの二次側配管Ｐ２内への流入を防止できるとともに、加圧装置７から吐出したガスを、大気中に放出することなく、一次側配管Ｐ１側に還流させることができ、加圧装置７から吐出したガスを回収したり、その回収したガスを処理するような手間も掛からない。
その上、二次側配管内のガス圧力が設定圧力以下のときは、流量を安定的に調整できる。
【発明を実施するための最良の形態】
【００１３】
以下に本発明の実施の形態を図面に基づいて説明する。
〔第１実施形態〕
図１は、都市ガス供給用の本発明によるガス圧力調整設備を示し、二次側配管Ｐ２内のガス圧力が一次側配管Ｐ１内のガス圧力よりも低い設定供給圧力になるように流量を調整しながら、一次側配管Ｐ１から二次側配管Ｐ２にガスを通流させるガバナ１と、二次側配管Ｐ２内のガス圧力が、設定供給圧力よりも高い設定圧力を越えると、その二次側配管Ｐ２内のガス圧力を低下させるガス圧力低下手段２とを設け、ガバナ１に流入するガスを濾過するフィルター装置３を一次側配管Ｐ１に接続してある。
前記ガス圧力低下手段２は、二次側配管Ｐ２内のガスを一次側配管Ｐ１内に強制的に還流させる還流手段を設けて構成してある。
【００１４】
前記還流手段２は、一次側配管Ｐ１と二次側配管Ｐ２とを連通可能なバイパス路４に、二次側配管Ｐ２内のガス圧力が設定圧力を越えると、二次側配管Ｐ２内のガスを一次側配管Ｐ１側に向けて通過可能に開弁するリリーフ弁５と、リリーフ弁５を通過したガスを貯留可能なタンク６と、そのタンク６に貯留してあるガスを一次側配管Ｐ１内のガス圧力を越える所定のガス圧力に加圧して一次側配管Ｐ１側に向けて吐出可能な加圧装置（圧縮機）７と、加圧装置７から吐出したガスのガス圧力が一次側配管Ｐ１内のガス圧力を越えると、そのガスをフィルター８を通して一次側配管Ｐ１側に向けて通過可能に開弁する逆止弁９とを、二次側配管Ｐ２側から順に設けるとともに、加圧装置７の駆動を制御する制御部１０を設けて構成してある。
【００１５】
前記制御部１０は、リリーフ弁５の二次側配管Ｐ２側におけるバイパス路４内のガス圧力を検出する第１圧力センサ１１と、タンク６内のガス圧力を検出する第２圧力センサ１２とを設けて、第１，第２圧力センサ１１，１２から入力される検出情報に基づいて、二次側配管Ｐ２内のガス圧力とタンク６内のガス圧力との差圧が設定差圧以下になったと判定すると、タンク６に貯留してあるガスを一次側配管Ｐ１内のガス圧力を越える所定のガス圧力に加圧して逆止弁９側に向けて吐出するように、加圧装置７の駆動を制御するように設けてある。
【００１６】
〔第２実施形態〕
図２は、都市ガス供給用の本発明によるガス圧力調整設備の別実施形態を示し、還流手段２を、一次側配管Ｐ１と二次側配管Ｐ２とを連通可能なバイパス路４に、二次側配管Ｐ２内のガスを一次側配管Ｐ１内のガス圧力を越える所定のガス圧力に加圧して一次側配管Ｐ１側に向けて吐出可能な加圧装置（圧縮機）７と、加圧装置７から吐出したガスのガス圧力が一次側配管Ｐ１内のガス圧力を越えると、そのガスをフィルター８を通して一次側配管Ｐ１側に通過可能に開弁する逆止弁９とを設けるとともに、加圧装置７の駆動を制御する制御部１０を設けて構成してある。
【００１７】
前記制御部１０は、加圧装置７の二次側配管Ｐ２側におけるバイパス路４内のガス圧力を検出する圧力センサ１３を設けて、その圧力センサ１３から入力される検出情報に基づいて、二次側配管Ｐ２内のガス圧力が設定圧力を越えたと判定すると、二次側配管Ｐ２内のガスを一次側配管Ｐ１内のガス圧力を越える所定のガス圧力に加圧して逆止弁９側に向けて吐出するように、加圧装置７の駆動を制御するように設けてある。
その他の構成は第１実施形態と同様である。
【００１８】
〔第３実施形態〕
前記第２実施形態において、吐出流量を変更可能な加圧装置（圧縮機）７を設けて、制御部１０を、圧力センサ１３から入力される検出情報に基づいて、二次側配管Ｐ２内のガス圧力が設定圧力以下であると判定すると、加圧装置７のアイドリング状態での運転によって、二次側配管Ｐ２内のガスを一次側配管Ｐ１内のガス圧力を越えるガス圧力に加圧して、一次側配管Ｐ１側に向けて、ガバナ１で二次側配管Ｐ２内のガス圧力が設定供給圧力になるように流量を調整できる範囲の小さい吐出流量で吐出し、二次側配管Ｐ２内のガス圧力が設定圧力を越えたと判定すると、二次側配管Ｐ２内のガスを一次側配管Ｐ１内のガス圧力を越える所定のガス圧力に加圧して、一次側配管Ｐ１側に向けて大きい吐出流量で吐出するように、加圧装置７の駆動を制御するように設けても良い。
その他の構成は第２実施形態と同様である。
【００１９】
〔その他の実施形態〕
１．本発明によるガス圧力調整設備は、還流手段が作動する設定圧力を変更自在に設けてあっても良い。
２．本発明によるガス圧力調整設備は、逆止弁が開弁する圧力を一次側配管内のガス圧力に応じて自動的に変更可能に設けてあっても良い。
３．本発明によるガス圧力調整設備は、工場や集合住宅，病院、学校などの特定の施設にガスを供給するために設けるものであっても良い。
４．本発明によるガス圧力調整設備は、工場に設けた生産設備（プラント) の一部を構成するために設けるものであっても良い。
５．本発明によるガス圧力調整設備は、メタンガス等の都市ガス供給系以外に、プロパンガスを供給するために設けるものであっても良い。
【図面の簡単な説明】
【００２０】
【図１】第１実施形態の概略を示す系統図
【図２】第２実施形態（第３実施形態）の概略を示す系統図
【符号の説明】
【００２１】
１    ガバナ
２    還流手段
４    バイパス路
５    リリーフ弁
６    タンク
７    加圧装置
９    逆止弁
１０  制御部
Ｐ１  一次側配管
Ｐ２  二次側配管
【図１】
2005293126.tif 000003
【図２】
2005293126.tif 000004